(57)【要約】【課題】織物の裏面から光りを透過させたときに、透過光の強弱により図柄を浮かび上がらせることができる。更に、光を透過させたときと、透過させないときとで、見栄えが異なり、光を透過させたときには、透過させないときと異なった図柄が浮かび上がって見える透過照明用の織物を提供する。【解決手段】模紗織り組織、及び斜子織り組織以外の織り組織を基本とし、［ａ］模紗織り組織の完全組織、［ｂ］斜子織り組織の完全組織、［ｃ］模紗織り組織の完全組織の外側から一周分の組織を抜いた部分組織、［ｄ］模紗織り組織の完全組織の外側から二周分の組織を抜いた部分組織、［ｅ］斜子織り組織の完全組織の外側から一周分の組織を抜いた部分組織、及び［ｆ］斜子織り組織の完全組織の外側から二周分の組織を抜いた部分組織、からなる群より選ばれる少なくとも一つの組織が部分的に取り入れている。また、基本の組織は、朱子織り組織、綾織り組織、及び平織り組織からなる群より選ばれる。【選択図】図８
2015004148.tif 000002
【特許請求の範囲】
【請求項１】
模紗織り組織、及び斜子織り組織以外の織り組織を基本とする織物であって、
［ａ］模紗織り組織の完全組織、
［ｂ］斜子織り組織の完全組織、
［ｃ］模紗織り組織の完全組織の外側から一周分の組織を抜いた部分組織、
［ｄ］模紗織り組織の完全組織の外側から二周分の組織を抜いた部分組織、
［ｅ］斜子織り組織の完全組織の外側から一周分の組織を抜いた部分組織、及び
［ｆ］斜子織り組織の完全組織の外側から二周分の組織を抜いた部分組織、からなる群より選ばれる少なくとも一つの組織を部分的に取り入れたことを特徴とする透過照明用の織物。
【請求項２】
前記群より選ばれる少なくとも一つの組織は、織り組織における最小単位であって、前記最小単位は複数存在しており、各々の最小単位は互いに隣接していない請求項１に記載の透過照明用の織物。
【請求項３】
前記模紗織り組織、及び斜子織り組織以外の織り組織は、朱子織り組織、綾織り組織、及び平織り組織からなる群より選ばれる少なくとも一つの組織である請求項１又は２に記載の透過照明用の織物。
【発明の詳細な説明】
【技術分野】
【０００１】
本発明は透過照明用の織物に関する。更に詳しくは、本発明は、光を透過させたときと、透過させないときとで、見栄えが異なる透過照明用の織物に関する。
【背景技術】
【０００２】
従来、天井材等の車両用内装材の表皮材としてポリエステル繊維等からなる織物が用いられている（例えば、特許文献１参照。）。
【先行技術文献】
【特許文献】
【０００３】
【特許文献１】特開２００７−１４５２８０号公報
【発明の概要】
【発明が解決しようとする課題】
【０００４】
しかし、特許文献１に記載されている車両用内装材では、光を透過させたときと、透過させないときとで、見栄えは同じである。また、光を透過させるという概念が存在していなかった。
【０００５】
本発明は、上記の従来の状況に鑑みてなされたものであり、光を透過させたときと、透過させないときとで、見栄えが異なる透過照明用の織物を提供することを目的とする。
【課題を解決するための手段】
【０００６】
本発明は以下の通りである。
１．模紗織り組織、及び斜子織り組織以外の織り組織を基本とする織物であって、
［ａ］模紗織り組織の完全組織、
［ｂ］斜子織り組織の完全組織、
［ｃ］模紗織り組織の完全組織の外側から一周分の組織を抜いた部分組織、
［ｄ］模紗織り組織の完全組織の外側から二周分の組織を抜いた部分組織、
［ｅ］斜子織り組織の完全組織の外側から一周分の組織を抜いた部分組織、及び
［ｆ］斜子織り組織の完全組織の外側から二周分の組織を抜いた部分組織、からなる群より選ばれる少なくとも一つの組織を部分的に取り入れたことを特徴とする透過照明用の織物。
２．前記群より選ばれる少なくとも一つの組織は、織り組織における最小単位であって、前記最小単位は複数存在しており、各々の最小単位は互いに隣接していない前記１．に記載の透過照明用の織物。
３．前記模紗織り組織、及び斜子織り組織以外の織り組織は、朱子織り組織、綾織り組織、及び平織り組織からなる群より選ばれる少なくとも一つの組織である前記１．又は２．に記載の透過照明用の織物。
【発明の効果】
【０００７】
本発明の透過照明用の織物は、模紗織り組織、及び斜子織り組織以外の織り組織を基本とし、この基本の織り組織に、前記［ａ］〜［ｆ］より選ばれる少なくとも一つの組織が部分的に取り入れられている。
このような構成とされていると、基本組織に部分的に取り入れられた組織、例えば、前記［ｃ］模紗織り組織の完全組織の外側から一周分の組織を抜いた部分組織、等により、図柄を形成することができる。更に、組織の組み合わせを工夫することにより、光を透過させたときと、透過させないときとで、見栄えが異なり、光を透過させたときには、透過側から図柄がより際立って見える。
請求項２の透過照明用の織物は、前述の群より選ばれる少なくとも一つの組織が、織り組織における最小単位であって、この最小単位は複数存在しており、各々の最小単位は互いに隣接していない。
このような構成とされていると、光を透過させないときには、取り入れられた最小単位は基本組織と同化して図柄は明瞭には見えず、光を透過させたときには、透過させないときとは異なった図柄が浮かび上がって見える。そのため、光を透過させたときと、透過させいときとで、見栄えが大きく異なる透過照明用の織物とすることができる。
請求項３の透過照明用の織物では、模紗織り組織、及び斜子織り組織以外の織り組織が、朱子織り組織、綾織り組織、及び平織り組織からなる群より選ばれる少なくとも一つの組織である。
このような構成とされていると、模紗織り組織、及び斜子織り組織以外の織り組織と、前述の［ａ］〜［ｆ］より選ばれる部分的に取り入れられる組織との、光の透過性が大きく相違する。そのため、光を透過させたときと、透過させないときとで、より見栄えの異なる織物とすることができる。また、光を透過させたときには、透過させないときと比べて図柄が特に際立って見える。
【図面の簡単な説明】
【０００８】
【図１】筬４本通しの模紗織り組織の完全組織の組織図である。
【図２】図１の完全組織の外側から一周分の組織を抜く様子を示す模式図である。
【図３】図１の完全組織の外側から一周分の組織を抜いた部分組織の組織図である。
【図４】筬３本通しの模紗織り組織の完全組織の組織図である。
【図５】図４の完全組織の外側から一周分の組織を抜く様子を示す模式図である。
【図６】図４の完全組織の外側から一周分の組織を抜いた部分組織の組織図である。
【図７】経糸、緯糸８枚朱子織り組織の組織図である。
【図８】図７の基本となる朱子織り組織に、図３の部分組織を取り入れた織物の組織図である。
【図９】図８の織物よりも大面積の織物の組織図である。
【図１０】図８、９の組織を有する織物を透かして見たときの図柄を表す平面図である。
【図１１】綾織り組織の組織図である。
【図１２】図１１の基本となる綾織り組織に、図６の部分組織を取り入れた織物の組織図である。
【図１３】緯糸の浮きが多い朱子織り組織の組織図である。
【図１４】他の織り組織の組織図である。
【図１５】経糸の浮きが多い朱子織り組織の組織図である。
【図１６】図１の模紗織り組織の完全組織、図１３の緯糸の浮きが多い朱子織り組織、図１４の他の織り組織、及び図１５の経糸の浮きが多い朱子織り組織からなる織物の組織の模式図である。
【発明を実施するための形態】
【０００９】
以下、図を参照しながら、本発明を詳しく説明する。
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
本発明の透過照明用の織物は、模紗織り組織、及び斜子織り組織以外の織り組織を基本とする織物である。また、この基本となる織り組織に、下記［ａ］〜［ｆ］からなる群より選ばれる少なくとも一つの組織が部分的に取り入れられている透過照明用の織物である。
［ａ］模紗織り組織の完全組織
［ｂ］斜子織り組織の完全組織
［ｃ］模紗織り組織の完全組織の外側から一周分の組織を抜いた部分組織
［ｄ］模紗織り組織の完全組織の外側から二周分の組織を抜いた部分組織
［ｅ］斜子織り組織の完全組織の外側から一周分の組織を抜いた部分組織
［ｆ］斜子織り組織の完全組織の外側から二周分の組織を抜いた部分組織
【００１１】
［１］模紗織り組織
模紗織りは、紗及び絽と類似の外観となるように、経糸は経糸同士、緯糸は緯糸同士で、それぞれ寄り合って束になるように織った織物である。そのため、各々の束間に空隙があり、全体として空隙が多い織り組織であり、光も透過し易い織物である。例えば、模紗織り組織の完全組織（１）の一例として、図１のような、筬４本通しで、経糸及び緯糸がそれぞれ８本である織り組織が挙げられる。また、模紗織り組織の最も簡易な構成の完全組織（３）として、図４のような、筬３本通しで、経糸及び緯糸がそれぞれ６本である織り組織が挙げられる。
【００１２】
基本となる織り組織に部分的に取り入れられている組織としては、前記［ａ］のように、上述の模紗織り組織の完全組織（１）、（３）をそのまま用いることができる（図１、４参照）。更に、前記［ｃ］のように、模紗織り組織の完全組織の外側から一周分の組織を抜いた部分組織（１ａ）（図２、３参照）及び（３ａ）（図５、６参照）を用いることもできる。また、前記［ｄ］のように、模紗織り組織の完全組織の外側から二周分の組織を抜いた部分組織を用いることもできる。前記［ｃ］の部分組織（１ａ）、（３ａ）は、経糸、緯糸の各々の最も外側の筬を通す糸を１本とすることにより形成することができる。また、前記［ｄ］の部分組織は、経糸、緯糸の各々の最も外側の筬に糸を通さないことにより形成することができる。
【００１３】
基本となる織り組織には、前記［ａ］、［ｃ］及び［ｄ］のうちの少なくとも一つの模紗織り組織を部分的に取り入れることができる。これのうちでは、前記［ｃ］の模紗織り組織の完全組織の外側から一周分の組織を抜いた部分組織（１ａ）、（３ａ）を取り入れることが好ましい。部分組織（１ａ）、（３ａ）を取り入れることで、見栄えの相違、図柄が際立って見える等の作用効果が十分に奏される。
【００１４】
［２］斜子織り組織
斜子織り組織は、複数本の糸を引き揃えて並べた経糸に、同本数の緯糸を打ち込んで製織した織物である。経糸を構成する、引き揃えられて並べられた糸の本数は、通常、２〜８本である。この斜子織り組織では、経糸が、複数本の糸が引き揃えられて並べられ糸束である。そのため、経糸間に空隙があり、全体として空隙が多い織り組織であって、光が透過し易い織物である。また、前記［ｂ］の斜子織り組織の完全組織は、経糸及び緯糸の本数が各々４〜１６本の組織である。
【００１５】
基本となる織り組織に部分的に取り入れられている組織としては、前記［ｂ］のように、上述の斜子織り組織の完全組織をそのまま用いることができる。更に、前記［ｅ］のように、斜子織り組織の完全組織の外側から一周分の組織を抜いた部分組織を用いることもできる。また、前記［ｆ］のように、斜子織り組織の完全組織の外側から二周分の組織を抜いた部分組織を用いることもできる。前記［ｅ］の部分組織は、完全組織の経糸、緯糸の各々の最も外側の糸を用いないことにより形成することができる。更に、前記［ｆ］の部分組織は、完全組織の経糸、緯糸の各々の外側から２本の糸を用いないことにより形成することができる。
【００１６】
基本となる織り組織には、前記［ｂ］、［ｅ］及び［ｆ］のうちの少なくとも一つの組織を部分的に取り入れることができる。これのうちでは、前記［ｅ］の斜子織り組織の完全組織の外側から一周分の組織を抜いた部分組織を取り入れることが好ましい。前記［ｅ］の部分組織を取り入れることで、見栄えの相違、図柄が際立って見える等の作用効果が十分に奏される。
【００１７】
［３］基本となる織物組織
模紗織り組織、及び斜子織り組織以外の、織物の基本となる織り組織は、模紗織り組織及び斜子織り組織より空隙が少なく、光が透過し難い織り組織である限り、特に限定さない。この基本となる織り組織としては、例えば、朱子織り組織（５）（図７参照）、綾織り組織（９）（図１１参照）、及び平織り組織からなる群より選ばれる少なくとも一つの組織が挙げられる。また、これらの織り組織の組み合わせ、及び各々の織り組織の変化織りなどを用いることもできる。
【００１８】
本発明の透過照明用の織物では、部分的に取り入れられる光の透過率が高い織り組織と、基本となる光の透過率の低い織り組織とが組み合わせられる。ここで、代表的な織り組織を光の透過率が高い順に並べると、模紗織り組織＞斜子織り組織＞平織り組織＞緯糸の浮きが多い朱子織り組織＞経糸の浮きが多い朱子織り組織＞綾織り組織となる。また、これらの織り組織の光透過率を所定の方法により測定したところ、模紗織り組織は９．７９％、斜子織り組織は８．６８％、平織り組織は６．４５％、緯糸の浮きが多い朱子織り組織は５．８４％、経糸の浮きが多い朱子織り組織は５．７７％、綾織り組織は５．４９％であった。
【００１９】
従って、部分的に取り入れられる組織を模紗織り組織又は斜子織り組織とし、基本となる組織を綾織り組織又は朱子織り組織とすることが好ましい。また、部分的に取り入れられる組織を模紗織り組織とし、基本となる組織を綾織り組織又は朱子織り組織とすることがより好ましい。更に、部分的に取り入れられる組織を模紗織り組織とし、基本となる組織を綾織り組織とすることが特に好ましい。また、光が透過し難い基本となる組織の一部に、光を透過させ易い組織を組み込むとともに、光が透過し難い基本となる組織と、光を透過させ易い組織とを近似させ、光を透過させないときには同様の組織に見えるように配置させることが好ましい。
【００２０】
［４］織り組織における最小単位
基本となる織り組織には、前記［ａ］〜［ｆ］からなる群より選ばれる少なくとも一つの組織が部分的に取り入れられている。これらの組織は、織り組織における最小単位である。この最小単位は、透過照明用の織物に複数存在しており、各々の最小単位は互いに隣接していないことが好ましい。これにより、光を透過させたときと、透過させないときとで、見栄えが異なるとともに、光を透過させたときには、透過させいときとは異なった図柄が浮かび上がって見える透過照明用の織物とすることができる。
【００２１】
また、最小単位は、互いに隣接していてもよい。その場合、隣接している最小単位の個数は５個以下、特に２個以下であることが好ましい。隣接している最小単位の個数が２個以下であれば、隣接する最小単位によって特定の図柄が形成され難い。これにより、光を透過させないときには、図柄が明瞭に見えることはなく、透過させたときには、特定の図柄が際立って見える。このように、光を透過させたときと、透過させないときとで見栄えが大きく異なる透過照明用の織物とすることができる。
【００２２】
［５］製織に用いられる糸種等
製織に用いられる糸種は特に限定されない。木綿、麻、リンネル等の植物繊維、羊毛、絹、カシミヤ等の動物繊維等の天然繊維であってもよく、合成繊維であってもよい。合成繊維としては各種の合成樹脂を用いてなる繊維を用いることができる。合成樹脂としては、ポリエチレンテレフタレート、ポリブチレンテレフタレート、ポリトリメチレンテレフタレート、ポリ乳酸等のポリエステル樹脂、ナイロン６、ナイロン６６等のポリアミド樹脂、ポリプロピレン、ポリエチレン等のポリオレフィン樹脂などが挙げられる。これらのうちでは、強度が大きく、耐久性、染色性等に優れる繊維とすることができるポリエステル樹脂が好ましい。
【００２３】
経糸、緯糸の各々の繊度も特に限定されない。この繊度は、５０〜１５００ｄｔｅｘであればよく、１００〜５００ｄｔｅｘであることが好ましい。また、経糸、緯糸としては、通常、マルチフィラメントが用いられる。更に、織物は、光を照射しないときに透けてしまうのは好ましくない。透けないようにするためには、経糸及び緯糸の各々の糸の、繊度（ｄｔｅｘ）の平方根と糸密度（本／ｉｎｃｈ）との積の総和により表される数値であるカバーファクターが１７００以上、特に２５００以上（通常、５０００以下）であることが好ましい。
【００２４】
本発明の透過照明用の織物は各種の内装材の表皮材として用いることができる。この表皮材は、基材と積層され、接合されて、基材層と表皮層とを有する内装材として形成することができる。また、基材は、通常、シート状であり、基材と表皮材とが積層された積層体を、成形し、接合させた場合は、平板状の内装材となり、用途等によっては、そのまま用いることができる。しかし、内装材には所定の形状が付与されることが多い。
【００２５】
内装材としては、車両用内装材、住宅用内装材等の建築用内装材などが挙げられる。車両としては、乗用車、バス、トラック等の他、鉄道車両、建設車両、農業車両、産業車両などが挙げられる。この他、本発明の内装材は、航空機及び船舶等の内装材として用いることもできる。また、この内装材は、特に乗用車、バス、トラック等のルーフトリム、ドアトリム、インストルメントパネルなどとして有用である。
【００２６】
本発明の透過照明用の織物を、例えば、乗用車のルーフトリムの表皮材として用いた場合、乗員が天井を見上げたときに、特定の図柄が明瞭には見えない通常の車室天井として見えるようにすることができる。一方、ルーフトリムの裏面側に配置された光源により、表皮材を裏面側から照射したときは、透過光により、通常とは見栄えが異なり、図柄が際立って見える。このように、車室内の美観、雰囲気等を変化させて楽しむことができる。
【実施例】
【００２７】
以下、本発明を実施例により具体的に説明する。
実施例１
（１）透過照明用の織物の構成
ポリエチレンテレフタレートを用いてなる繊度１６０ｄｔｅｘのマルチフィラメントを経糸及び緯糸として使用し、製織した。糸密度は経方向、緯方向ともに１２４本／ｉｎｃｈとした。また、図７の経糸、緯糸８枚朱子織り組織５を基本とし、これに図１の筬４本通しの模紗織り組織のうち、図２に破線で示すように、外側から一周分の組織を抜いた部分組織１ａ、即ち、図３の模紗織り組織の部分組織１ａを、朱子織り組織５における柄と違和感のないように配置させて製織した（図８、９参照）。
【００２８】
実施例２
ポリエチレンテレフタレートを用いてなる繊度１６０ｄｔｅｘのマルチフィラメントを経糸及び緯糸として使用し、製織した。糸密度は経方向、緯方向ともに１２４本／ｉｎｃｈとした。また、図１１の綾織り組織９を基本とし、これに図４の筬３本通しの模紗織り組織のうち、図５に破線で示すように、外側から一周分の組織を抜いた部分組織３ａ、即ち、図６の模紗織り組織の部分組織３ａを、綾織織り組織９における柄と違和感のないように配置させて製織した（図１２参照）。
【００２９】
実施例３
ポリエチレンテレフタレートを用いてなる繊度１６０ｄｔｅｘの経糸及び緯糸として使用し、製織した。糸密度は経方向、緯方向ともに１２４本／ｉｎｃｈとした。製織には、図１の筬４本通しの模紗織り組織の完全組織１、図１３の緯糸の浮きが多い朱子織り組織１３ａ、図１４の他の織り組織１３ｂ、及び図１５の経糸の浮きが多い朱子織り組織１３ｃを組み合わせて使用し、図１６のような織物を作製した。
【００３０】
（２）透過照明用の織物の作用
実施例１の透過照明用の織物では、朱子織り組織５を基本とし、この基本組織に、筬４本通しの模紗織り組織の部分組織１ａが、基本組織である朱子織り組織５における柄と違和感のないように配置され、製織されている。このようにして製織することで、織り込まれた模紗織り組織の部分組織１ａは、朱子織り組織５と同化しているように見え、光を透過させないときは、模紗織り組織の部分組織１ａが織り込まれることにより特定の図柄が明瞭に見えることはなかった。
【００３１】
また、上述の織物に、光を照射し、透過側から見たときには、図１０のように、特定の図柄が浮かび上がるように明瞭に見えた。尚、図１０において白色のドットとして見えるのは、図３の模紗織り組織の部分組織１ａの中心部１ｂであり、図３において太い実線で囲まれた部分である。この白色のドットの配置の仕方で所要の柄を自在に作製することができ、図柄が作製された部分に光りを照射し、透過させることで、特定の図柄が浮かび上がるように明瞭に見えた。
尚、図８、９及び１０は、それぞれ縮尺が異なる。
【００３２】
また、実施例２の透過照明用の織物では、綾織り組織９を基本とし、この基本組織に、筬３本通しの模紗織り組織の部分組織３ａが、基本組織である綾織り組織９における柄と違和感のないように配置され、製織されている。このようにして製織することで、織り込まれた模紗織り組織の部分組織３ａは、綾織り組織９と同化しているように見え、光を透過させないときは、模紗織り組織の部分組織３ａが織り込まれることにより特定の図柄が明瞭に見えることはなかった。また、この織物に、光を照射し、透過側から見たときには、特定の図柄が浮かび上がるように明瞭に見えた。
【００３３】
更に、実施例３の透過照明用の織物では、光を透過させなくても、模紗織り組織の完全組織１の部分が透けて見えた。一方、光を透過させると、模紗織り組織の完全組織１の部分がより際立って見え、光を透過させることによる特有の作用効果が得られた。
【００３４】
尚、本発明においては、上述の具体的な実施例に限られず、目的、用途等に応じて本発明の範囲内で種々変更した実施例とすることができる。例えば、実施例では、筬４本通し又は筬３本通しの各々の模紗織り組織のうち、それぞれの外側から一周分の組織を抜いた部分組織を用いたが、２種以上の組織を組み合わせて用いることもできる。具体的には、模紗織り組織の完全組織、斜子織り組織の完全組織、模紗織り組織の部分組織、及び斜子織り組織の部分組織を、光を透過させたときの見栄え、図柄の際立ち等を勘案して組み合わせて用いることができる。
【００３５】
尚、前述の記載は単に説明を目的とするものでしかなく、本発明を限定するものと解釈されるものではない。本発明を典型的な実施態様を挙げて説明したが、本発明の記述及び図示において使用された文言は、限定的な文言ではなく、説明的および例示的なものであると理解される。ここで詳述したように、その態様において本発明の範囲又は精神から逸脱することなく、添付の特許請求の範囲内で変更が可能である。ここでは、本発明の詳述に特定の構造、材料及び実施態様を参照したが、本発明をここにおける開示事項に限定することを意図するものではなく、寧ろ、本発明は添付の特許請求の範囲内における、機能的に同等の構造、方法、使用の全てに及ぶものとする。
【産業上の利用可能性】
【００３６】
本発明は、車両及び住宅等の内装材に用いられる内装用表皮材、及びポリウレタンフォーム等の樹脂発泡体などからなる基材に表皮材が接合されてなる内装材の技術分野において利用することができる。
【符号の説明】
【００３７】
１；筬４本通しの模紗織り組織の完全組織、１ａ；筬４本通しの模紗織り組織の完全組織の外側から一周分の組織を抜いた部分組織、１ｂ；部分組織の中心部、３；筬３本通しの模紗織り組織の完全組織、３ａ；筬３本通しの模紗織り組織の完全組織の外側から一周分の組織を抜いた部分組織、５；経糸、緯糸８枚朱子織り組織、７；朱子織り組織を基本とし、模紗織り組織の部分組織が取り入れられた織物、９：綾織り組織、１１；綾織り組織を基本とし、模紗織り組織の部分組織が取り入れられた織物、１３ａ；緯糸の浮きが多い朱子織り組織、１３ｂ；他の織り組織、１３ｃ；経糸の浮きが多い朱子織り組織。
【図１】
2015004148.tif 000003
【図２】
2015004148.tif 000004
【図３】
2015004148.tif 000005
【図４】
2015004148.tif 000006
【図５】
2015004148.tif 000007
【図６】
2015004148.tif 000008
【図７】
2015004148.tif 000009
【図８】
2015004148.tif 000010
【図１１】
2015004148.tif 000011
【図１２】
2015004148.tif 000012
【図１３】
2015004148.tif 000013
【図１４】
2015004148.tif 000014
【図１５】
2015004148.tif 000015
【図１６】
2015004148.tif 000016
【図９】
2015004148.tif 000017
【図１０】
2015004148.tif 000018